(57)【要約】【課題】複数の照明器具を容易にグループ化する。【解決手段】複数の照明器具１０と、照明器具１０を管理するコントローラ３０と、照明器具１０とコントローラ３０との通信を中継する複数のインターフェース４０とを備える照明システム１００において、複数の照明器具１０を所定のグループに分けてグループ化する。インターフェース４０は、１または複数のポートを有し、ポートのそれぞれには、１または複数の照明器具１０が接続されている。コントローラ３０は、１つのインターフェースに接続された１または複数の照明器具１０を１つの集合体としてそれぞれの当該集合体を１以上集めてグループ化するか、あるいは、１つのポートに接続された１または複数の照明器具１０を１つの集合体としてそれぞれの当該集合体を１以上集めてグループ化するか、の選択を受け付け、グループ化を決定し、決定したグループ化の情報を表示する。【選択図】図１
2018056010.tif 000002
【特許請求の範囲】
【請求項１】
複数の照明器具と、前記複数の照明器具を管理するコントローラと、前記コントローラに接続され、前記複数の照明器具と前記コントローラとの通信を中継する複数のインターフェースとを備える照明システムにおいて、前記複数の照明器具を所定のグループに分けてグループ化する照明器具のグループ化方法であって、
前記インターフェースは、１または複数のポートを有し、前記ポートのそれぞれには、１または複数の照明器具が接続され、
前記コントローラは、前記複数の照明器具のグループ分けを操作するための画像を表示し、１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する
照明器具のグループ化方法。
【請求項２】
前記コントローラは、１つの前記インターフェースに接続された前記１または複数の照明器具を１つの集合体としてそれぞれの当該集合体ごとにグループ化するか、あるいは、１つの前記ポートに接続された前記１または複数の照明器具を１つの集合体としてそれぞれの当該集合体ごとにグループ化するか、の両方の選択肢を表示し、表示した前記選択肢の一方の選択を受け付けることで、前記グループ化を決定する
請求項１に記載の照明器具のグループ化方法。
【請求項３】
前記コントローラは、１つの前記ポートに接続された前記１または複数の照明器具を１つの集合体としてそれぞれの当該集合体を所定数集めてグループ化するための複数の選択肢を表示し、表示した前記選択肢の中から所定の前記集合体の選択を受け付けることで、前記グループ化を決定する
請求項１に記載の照明器具のグループ化方法。
【請求項４】
前記選択された所定の前記集合体は、複数であり、異なる前記インターフェースのポートにそれぞれ接続されている
請求項３に記載の照明器具のグループ化方法。
【請求項５】
前記コントローラは、前記選択肢を表示する前に、前記複数のインターフェースのそれぞれから、前記１または複数の照明器具それぞれの識別情報、および、前記照明器具が接続されているポートを識別するためのポート情報を取得し、取得した前記識別情報および前記ポート情報、ならびに、前記照明器具が接続されているインターフェースを識別するためのインターフェース情報に基づいて前記選択肢を作成する
請求項２〜４のいずれか１項に記載の照明器具のグループ化方法。
【請求項６】
１または複数のポートを有する複数のインターフェースを介して、それぞれの前記ポートに接続された１または複数の照明器具を管理するコントローラであって、
前記複数の照明器具のグループ分けを操作するための画像を表示する表示入力部を有し、
１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する
コントローラ。
【請求項７】
前記コントローラは、コントローラ本体と、前記コントローラ本体と通信する操作端末とを備え、
前記表示入力部は、前記操作端末に設けられている
請求項６に記載のコントローラ。
【請求項８】
複数の照明器具と、
前記複数の照明器具を管理するコントローラと、
前記コントローラに接続され、前記複数の照明器具と前記コントローラとの通信を中継する複数のインターフェースと
を備え、
前記インターフェースは、１または複数のポートを有し、前記ポートのそれぞれには、１または複数の照明器具が接続され、
前記コントローラは、前記複数の照明器具のグループ分けを操作するための画像を表示し、１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する
照明システム。
【発明の詳細な説明】
【技術分野】
【０００１】
本発明は、複数の照明器具を所定のグループに分けてグループ化する照明器具のグループ化方法、コントローラ、および、照明システムに関する。
【背景技術】
【０００２】
従来、複数の照明器具と、複数の照明器具を管理するコントローラとを備える照明システムが知られている。この照明システムにおいて、複数の照明器具を所定のグループごとに調光制御またはスケジュール制御する場合、複数の照明器具を予め所定のグループに分けてグループ化しておく必要がある。
【０００３】
照明器具をグループ化する方法の一例として、特許文献１には、コントローラのタッチパネルを用いてグループ化すべき照明器具を選択し、各グループのグループ番号等を入力することでグループ化する方法が開示されている。
【先行技術文献】
【特許文献】
【０００４】
【特許文献１】特開２００９−２９５３９９号公報
【発明の概要】
【発明が解決しようとする課題】
【０００５】
しかしながら、例えば、照明器具を１台ずつ選択してグループ化する方法では、照明器具の台数が多い場合、グループ化に必要な情報を入力するために多大な労力を有する。
【０００６】
そこで、本発明は、複数の照明器具を容易にグループ化することができる照明器具のグループ化方法等を提供する。
【課題を解決するための手段】
【０００７】
本発明の照明器具のグループ化方法の一態様は、複数の照明器具と、前記複数の照明器具を管理するコントローラと、前記コントローラに接続され、前記複数の照明器具と前記コントローラとの通信を中継する複数のインターフェースとを備える照明システムにおいて、前記複数の照明器具を所定のグループに分けてグループ化する照明器具のグループ化方法であって、前記インターフェースは、１または複数のポートを有し、前記ポートのそれぞれには、１または複数の照明器具が接続され、前記コントローラは、前記複数の照明器具のグループ分けを操作するための画像を表示し、１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する。
【０００８】
また、本発明のコントローラの一態様は、１または複数のポートを有する複数のインターフェースを介して、それぞれの前記ポートに接続された１または複数の照明器具を管理するコントローラであって、前記複数の照明器具のグループ分けを操作するための画像を表示する表示入力部を有し、１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する。
【０００９】
また、本発明の照明システムの一態様は、複数の照明器具と、前記複数の照明器具を管理するコントローラと、前記コントローラに接続され、前記複数の照明器具と前記コントローラとの通信を中継する複数のインターフェースとを備え、前記インターフェースは、１または複数のポートを有し、前記ポートのそれぞれには、１または複数の照明器具が接続され、前記コントローラは、前記複数の照明器具のグループ分けを操作するための画像を表示し、１つの前記インターフェースに接続された前記１または複数の照明器具を１つの集合体としてそれぞれの当該集合体を１以上集めてグループ化するか、あるいは、１つの前記ポートに接続された前記１または複数の照明器具を１つの集合体としてそれぞれの当該集合体を１以上集めてグループ化するか、の選択を受け付け、前記グループ化を決定し、決定した前記グループ化の情報を表示する。
【発明の効果】
【００１０】
複数の照明器具を容易にグループ化することができる。
【図面の簡単な説明】
【００１１】
【図１】実施の形態に係る照明システムであって、この照明システムが備えるコントローラ、インターフェースおよび照明器具を示す模式図である。
【図２】実施の形態に係るコントローラの制御構成を示すブロック図である。
【図３】実施の形態に係るコントローラの操作端末を示す模式図である。
【図４】実施の形態に係るインターフェースの制御構成を示すブロック図である。
【図５】実施の形態に係る照明器具の制御構成を示すブロック図である。
【図６Ａ】実施の形態に係る照明器具のグループ化方法の一例を示すフローチャートである。
【図６Ｂ】実施の形態に係る照明器具のグループ化方法の一例を示す工程表である。
【図７Ａ】実施の形態に係るコントローラの操作端末に表示される画像を示す図である。
【図７Ｂ】図７Ａにつづき、操作端末に表示される画像を示す図である。
【図７Ｃ】図７Ｂにつづき、操作端末に表示される画像を示す図である。
【図７Ｄ】図７Ｃにつづき、操作端末に表示される画像の一例を示す図である。
【図７Ｅ】図７Ｃにつづき、操作端末に表示される画像の他の一例を示す図である。
【図８Ａ】実施の形態に係る照明器具のグループ化方法の他の一例を示すフローチャートである。
【図８Ｂ】実施の形態に係る照明器具のグループ化方法の他の一例を示す工程表である。
【図９Ａ】図７Ｂにつづき、操作端末に表示される画像の他の一例を示す図である。
【図９Ｂ】図９Ａにつづき、操作端末に表示される画像を示す図である。
【図９Ｃ】図９Ｂにつづき、操作端末に表示される画像を示す図である。
【発明を実施するための形態】
【００１２】
以下、実施の形態に係る照明器具のグループ化方法等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
［１−１．照明システムの全体構成］
図１は、実施の形態に係る照明システム１００を示す模式図である。
【００１５】
照明システム１００は、複数の照明器具１０ａ、１０ｂ、１０ｃ、１０ｄ、１０ｅ、１０ｆ、１０ｇ、１０ｈ、１０ｉ、１０ｊ、１０ｋ、１０ｌ、１０ｍ、１０ｎ、１０ｏ、１０ｐ（以下、総称して照明器具１０と呼ぶ場合がある）を備える。また、照明システム１００は、複数の照明器具１０を管理するコントローラ３０と、複数の照明器具１０とコントローラ３０との通信を中継する複数のインターフェース（ＩＦ）４０ａ、４０ｂ（以下、総称してＩＦ４０と呼ぶ場合がある）とを備える。
【００１６】
照明システム１００において、複数の照明器具１０のそれぞれは、所定のＩＦ４０を介して、コントローラ３０に有線で接続されている。例えば図１では、コントローラ３０に２つのＩＦ４０ａ、４０ｂがバス接続されている。ＩＦ４０ａ、４０ｂのそれぞれは２つのポート（接続口）を有している。一方のＩＦ４０ａのポート１には４台の照明器具１０ａ〜１０ｄがバス接続され、ポート２には４台の照明器具１０ｅ〜１０ｈがバス接続されている。他方のＩＦ４０ｂのポート１には４台の照明器具１０ｉ〜１０ｌがバス接続され、ポート２には４台の照明器具１０ｍ〜１０ｐがバス接続されている。
【００１７】
なお、図１では、１６台の照明器具１０ａ〜１０ｐが示されているが、実際は、建物の天井などに５０台以上の照明器具１０が設置されることがある。コントローラ３０に接続されるＩＦ４０は、２つに限られず、３つ以上であってもよい。１つのＩＦ４０が有するポート数は、２つに限られず、１つであっても３つ以上であってもよい。１つのポートに接続される照明器具１０は、１台であっても２台以上であってもよい。
【００１８】
以下、照明システム１００を構成するコントローラ３０、インターフェース４０および照明器具１０についてそれぞれ説明する。
【００１９】
［１−２．コントローラ］
図２は、コントローラ３０の制御構成を示すブロック図である。コントローラ３０は、複数の照明器具１０をグループ化するための設定器である。
【００２０】
コントローラ３０は、コントローラ本体３０ａと操作端末２０とを備えている。操作端末２０は、無線ＲＦによりコントローラ本体３０ａと通信可能となっている。無線ＲＦによる通信方式としては、９２０ＭＨｚ帯もしくは２．４ＧＨｚ帯の周波数を利用した特定小電力無線、または、ＷｉＦｉ（登録商標）などの方式が用いられる。
【００２１】
操作端末２０は、例えば、携帯可能なタブレット端末やスマートフォンである。操作端末２０は、表示入力部（画面）２１、通信部２４および制御部２３を備えている。
【００２２】
図３は、操作端末２０を示す模式図である。表示入力部２１は、複数の照明器具１０のグループ分けを操作するための画像を表示する。表示入力部２１は、例えば、タッチパネルディスプレイであり、操作入力部２１ａと、表示選択部２１ｂと、アドレス表示部２１ｃとを有している。
【００２３】
操作入力部２１ａには、照明器具１０のアドレスの読み込みを開始するためのアイコン、および、照明器具１０のグループ化を開始するためのアイコンが表示される。表示選択部２１ｂには、照明器具１０をグループ化する際の選択肢が表示される。アドレス表示部２１ｃには、読み込んだ照明器具１０のアドレスまたはグループ化した照明器具１０のアドレスが表示される。
【００２４】
操作端末２０の制御部２３は、ＣＰＵ（Central  Processing  Unit）、ＲＡＭ（Random  Access  Memory）およびＲＯＭ（Read  Only  Memory）などにより構成され、表示入力部２１および通信部２４を制御する。通信部２４は、アンテナおよび無線モジュールなどにより構成され、無線ＲＦを用いてコントローラ本体３０ａの第１通信部３２と通信可能になっている。
【００２５】
コントローラ本体３０ａは、操作端末２０を介して、ユーザから所定の操作を受け付けることで、グループ化に必要な各工程（図６Ｂまたは図８Ｂに示される工程）を進める。
【００２６】
コントローラ本体３０ａは、第１通信部３２、制御部３３および第２通信部３４を備えている。コントローラ本体３０ａの制御部３３は、ＣＰＵ、ＲＡＭおよびＲＯＭなどにより構成され、照明器具１０を点灯制御する。本実施の形態において、制御部３３は、コントローラ３０の配下に接続されているＩＦ４０のアドレスを設定したり、また、照明器具１０のグループ化を行ったりする。第１通信部３２は、操作端末２０と無線ＲＦで通信し、第２通信部３４は、ＩＦ４０と有線で通信する。
【００２７】
複数の照明器具１０を建物に設置した直後は、コントローラ本体３０ａは、照明器具１０それぞれのアドレスに関する情報をまだ所有していない。コントローラ本体３０ａは、複数の照明器具１０をグループ化するにあたり、ＩＦ４０に対して、ＩＦ４０が所有する照明器具１０それぞれのアドレスを読込む。このアドレスの読込によって、コントローラ本体３０ａには、照明器具１０それぞれの識別情報、各照明器具１０が接続されているポートを識別するためのポート情報、および、各照明器具１０が接続されているＩＦ４０を識別するためのインターフェース情報が保存される。コントローラ３０は、これら識別情報、ポート情報およびインターフェース情報に基づいて、複数の照明器具１０をグループ化するための選択肢を作成する。
【００２８】
なお、コントローラ本体３０ａおよび操作端末２０は別体に限られず、一体であってもよい。すなわち、コントローラ本体３０ａが表示入力部（画面）２１を有し、この表示入力部２１にて必要な情報が表示され、また、入力されてもよい。
【００２９】
［１−３．インターフェース］
図４は、インターフェース（ＩＦ）４０の制御構成を示すブロック図である。
【００３０】
ＩＦ４０は、第１通信部４２、制御部４３および第２通信部４４を備えている。第１通信部４２は、コントローラ本体３０ａの通信部３４と接続され、第２通信部４４は、複数のポートを介して所定の照明器具１０と接続されている。
【００３１】
ＩＦ４０の制御部４３は、ＣＰＵ、ＲＡＭおよびＲＯＭなどにより構成され、コントローラ３０から受信したパケット通信信号を照明器具１０内で処理可能なデジタル信号に変換し、第２通信部４４を介して配下の照明器具１０に送信する。また、制御部４３は、配下の照明器具１０から受信したデジタル信号をコントローラ３０内で処理可能なデジタル信号に変換し、第１通信部４２を介してコントローラ３０に送信する。
【００３２】
本実施の形態において、ＩＦ４０の制御部４３は、配下に接続された照明器具１０それぞれに対してアドレスを設定する。また、制御部４３は、コントローラ３０および自機のアドレスを保存し、また、照明器具１０のアドレスをポートに対応づけた状態で保存する。
【００３３】
［１−４．照明器具］
複数の照明器具１０のそれぞれは、例えば、ＬＥＤ（Light  Emitting  Diode）照明であり、建物の造営材（天井など）に設置される。
【００３４】
図５は、照明器具１０の制御構成を示すブロック図である。複数の照明器具１０のそれぞれは、光源１４、制御部１３および通信部１１を備えている。
【００３５】
通信部１１は、ＩＦ４０の第２通信部３４と接続され、コントローラ３０からの作動指令を制御部１３に伝達する。制御部１３は、ＣＰＵ、ＲＡＭおよびＲＯＭなどにより構成され、コントローラ３０からの作動指令に基づいて光源１４を点灯制御する。光源１４は、例えば、白色光、赤色光、緑色光または青色光を発する複数の発光ダイオードを含み、制御部１３により、調光制御、調色制御またはスケジュール制御される。
【００３６】
照明器具１０のそれぞれは、照明器具１０のグループ化が行われる前に、ＩＦ４０からアドレスを付与される。照明器具１０の制御部１３には、付与された自身のアドレスが保存される。アドレスとしては、例えば、ＵＤＩＤ（Unique  Device  IDentifier）が用いられる。図１では、一例として、各照明器具１０のそれぞれに１〜４の簡単なアドレス（器具番号）が付与されている。
【００３７】
［１−５．照明器具のグループ化方法］
次に、照明器具１０のグループ化方法について説明する。
【００３８】
図６Ａは、照明器具１０のグループ化方法の一例を示すフローチャートであり、図６Ｂは、照明器具１０のグループ化方法の一例を示す工程表である。図７Ａ〜図７Ｅは、コントローラ３０の操作端末２０に表示される画像を示す図である。
【００３９】
まず、照明器具１０にアドレスを設定する（Ｓ０）。
【００４０】
具体的には、ユーザからアドレス設定のための操作を受け付けたコントローラ３０が、ＩＦ４０に対してアドレス（ＩＦ番号）を付与する。また、コントローラ３０からアドレス設定の指示を受けたＩＦ４０が、配下の照明器具１０に対してアドレス（器具番号）を付与する。付与されるアドレスは、ランダムに並んだ数字や記号からなり、ポート内の照明器具同士で重複しないように付与される。照明器具１０に付与されたアドレスは、各ポートに対応づけられた状態で接続先のＩＦ４０に保存される。例えば、照明器具１０ａ〜１０ｄそれぞれのアドレスは、ＩＦ４０ａのポート１に対応づけられた状態でＩＦ４０ａに保存される。
【００４１】
照明器具１０にアドレスが設定されると、図７Ａに示されるように、操作端末２０の操作入力部２１ａに、「アドレス読込」、「系統別配置」および「系統指定配置」のアイコンが表示される。
【００４２】
次に、照明器具１０のアドレスを読み込む（Ｓ１）。
【００４３】
具体的には、コントローラ３０が、操作入力部２１ａに表示された「アドレス読込」の入力をユーザから受け付け、照明器具１０それぞれのアドレスを読み込む。アドレスの読み込みにあたり、コントローラ３０は、ＩＦ４０それぞれに対して、照明器具１０のアドレスの問い合わせを行う。ＩＦ４０には各ポートに対応する照明器具１０のアドレスが保存されているので、この問い合わせにより、コントローラ３０は、照明器具１０のアドレス（ＩＦ番号、ポート番号および器具番号）を取得する。
【００４４】
アドレスを取得したコントローラ３０は、図７Ｂに示されるように、アドレス表示部２１ｃに照明器具１０のアドレスを表示する（Ｓ２）。
【００４５】
照明器具１０のアドレスは、図７Ｂに示されるように、一列に並べて表示される。ただしそれに限られず、表を用いてリスト表示されてもよいし、図１に示すような樹形図を用いて表示されてもよい。
【００４６】
このアドレスの読込および表示により、コントローラ３０は、照明器具１０それぞれに対応するＩＦ番号、ポート番号および器具番号を把握した状態となる（図１参照）。これらの情報を取得することで、コントローラ３０は、以降において照明器具１０をグループ化することが可能となる。
【００４７】
照明器具１０のグループ化方法としては、系統別配置によるグループ化方法、および、系統指定配置によるグループ化方法がある。まず、系統別配置によるグループ化方法について説明する。
【００４８】
コントローラ３０は、操作入力部２１ａに表示された「系統別配置」の入力をユーザから受け付けると、図７Ｃに示されるように、表示選択部２１ｂに箱状のダイアログＤ１を表示する。同時にコントローラ３０は、ダイアログＤ１内に、系統別選択肢である「ＩＦ別」、「ポート別」の両方の選択肢を表示する（Ｓ３）。
【００４９】
ＩＦ別の選択肢とは、１つのＩＦ４０に接続された１または複数の照明器具１０を１つの集合体としてそれぞれの当該集合体ごとにグループ化するための選択肢である。この選択肢は、例えば図１において、ＩＦ４０ａに接続されている８つの照明器具１０ａ〜１０ｈを１つの集合体として、また、ＩＦ４０ｂに接続されている８つの照明器具１０ｉ〜１０ｐを１つの集合体として、合計２つのグループにグループ化する選択肢である。
【００５０】
ポート別とは、１つのポートに接続された１または複数の照明器具１０を１つの集合体としてそれぞれの当該集合体ごとにグループ化するための選択肢である。この選択肢は、例えば図１において、ＩＦ４０ａのポート１に接続された４つの照明器具１０ａ〜１０ｄを１つの集合体として、ＩＦ４０ａのポート２に接続された４つの照明器具１０ｅ〜１０ｈを１つの集合体として、ＩＦ４０ｂのポート１に接続された４つの照明器具１０ｉ〜１０ｌを１つの集合体として、また、ＩＦ４０ｂのポート２に接続された４つの照明器具１０ｍ〜１０ｐを１つの集合体として、合計４つのグループにグループ化する選択肢である。
【００５１】
なお、この２つの選択肢のそれぞれは、事前に取得した、照明器具１０が接続されているＩＦ４０を識別するためのＩＦ情報、照明器具１０が接続されているポートを識別するためのポート情報、および、照明器具１０の識別情報に基づいて作成される。すなわち、コントローラ３０は、コントローラ３０が取得した照明器具１０のＩＦ番号、ポート番号および器具番号に基づいて、ＩＦ別およびポート別の選択肢を作成する。
【００５２】
次に、「ＩＦ別」あるいは「ポート別」のどちらでグループ化するかを選択する（Ｓ４）。具体的には、コントローラ３０は、「ＩＦ別」あるいは「ポート別」の選択肢にチェックが入れられた状態で、ダイアログＤ１内の「ＯＫ」入力を受け付ける。この入力により、コントローラ３０は、選ばれた選択肢でグループ化することを決定する。
【００５３】
例えば、「ＩＦ別」の選択肢が選択された場合、ＩＦ別で２つのグループにグループ化された画像が表示選択部２１ｂに表示される（図７ＤのＳ５参照）。また、「ポート別」の選択肢が選択された場合、ポート別で４つのグループにグループ化された画像が表示選択部２１ｂに表示される（図７ＥのＳ５参照）。
【００５４】
このように図６Ａに示す各ステップにより、照明器具１０のグループ化が完了する。また、グループ化された情報は、操作端末２０の表示入力部（画面）２１に表示される。
【００５５】
なお、ステップＳ３では、図７Ｃのように「ＩＦ別」、「ポート別」の両方の選択肢を表示するように構成しているが、いずれか一方のみの項目を表示してその可否を問い合わせするように構成しても構わない。
【００５６】
次に、照明器具１０のグループ化方法として、系統指定配置によるグループ化方法について説明する。
【００５７】
図８Ａは、照明器具１０のグループ化方法の他の一例であって、系統指定配置によるグループ化を示すフローチャートであり、図８Ｂは、系統指定配置によるグループ化を示す工程表である。図９Ａ〜図９Ｃは、コントローラ３０の操作端末２０に表示される画像を示す図である。
【００５８】
ステップＳ１およびステップＳ２は、前述した内容と同様であり、説明を省略する。
【００５９】
コントローラ３０は、操作入力部２１ａに表示された「系統指定配置」の入力をユーザから受け付けると、図９Ａに示されるように、表示選択部２１ｂに箱状のダイアログＤ２１を表示する。同時にコントローラ３０は、ダイアログＤ２１内に、これからグループ分けしようとする各「グループ名」と、複数の「ＩＦおよびポートごとの選択肢」とをそれぞれリスト表示する（Ｓ３Ａ）。
【００６０】
ＩＦおよびポートごとの選択肢（以下、指定選択肢と呼ぶ）とは、１つのポートに接続された１または複数の照明器具１０を１つの集合体としてそれぞれの当該集合体を所定数集めてグループ化するための選択肢である。指定選択肢はチェックボックスを有しており、ユーザが所定のチェックボックスに触れることで、所定の指定選択肢が指定される。
【００６１】
コントローラ３０は、表示した複数の指定選択肢の中から、グループ内に入れるべき所定の指定選択肢を受け付ける（Ｓ４Ａ）。例えば図９Ａでは、グループ１として、ＩＦ４０ａのポート１に接続された照明器具１０ａ〜１０ｄと、ＩＦ４０ｂのポート２に接続された照明器具１０ｍ〜１０ｐとが指定されている。コントローラ３０は、これらの指定選択肢が指定された状態でダイアログＤ２１内の「ＯＫ」入力を受け付ける。この入力により、コントローラ３０は、所定の指定選択肢の選択を受け付け、グループ１のグループ化を決定する（Ｓ５Ａ）。
【００６２】
ひきつづき、コントローラ３０は、図９Ｂに示されるように、表示選択部２１ｂに箱状のダイアログＤ２２を表示し、同時にダイアログＤ２２内に、各「グループ」と、複数の「ＩＦおよびポートごとの選択肢」とをそれぞれリスト表示する。
【００６３】
コントローラ３０は、表示した複数の指定選択肢の中から、グループ内に入れるべき所定の指定選択肢を受け付ける（Ｓ４Ａ）。例えば図９Ｂでは、グループ２として、ＩＦ４０ａのポート２に接続された照明器具１０ｅ〜１０ｈと、ＩＦ４０ｂのポート１に接続された照明器具１０ｉ〜１０ｌとが指定されている。コントローラ３０は、これら指定選択肢が指定された状態でダイアログＤ２２内の「ＯＫ」入力を受け付ける。この入力により、コントローラ３０は、所定の指定選択肢の選択を受け付け、グループ２のグループ化を決定する（Ｓ５Ａ）。
【００６４】
なお、ダイアログＤ２１、Ｄ２２内には、照明器具１０を集合体ごとに点灯または消灯させるためのアイコンが配置されている。ユーザは、点灯または消灯のアイコンを押すことで、各ＩＦの各ポートに接続されている照明器具１０の集合体を視認できるようになっている。
【００６５】
このように図８Ａに示す各ステップにより、照明器具１０のグループ化が完了する。また、グループ化された情報は、操作端末２０の表示入力部（画面）２１に表示される。
【００６６】
［１−６．効果等］
本実施の形態に係る照明器具１０のグループ化方法は、複数の照明器具１０と、複数の照明器具１０を管理するコントローラ３０と、コントローラ３０に接続され、複数の照明器具１０とコントローラ３０との通信を中継する複数のインターフェース４０とを備える照明システム１００において、複数の照明器具１０を所定のグループに分けてグループ化する照明器具１０のグループ化方法である。インターフェース４０は、１または複数のポートを有し、ポートのそれぞれには、１または複数の照明器具１０が接続される。コントローラ３０は、複数の照明器具１０のグループ分けを操作するための画像を表示し、１つのインターフェース４０に接続された１または複数の照明器具１０を１つの集合体としてそれぞれの当該集合体を１以上集めてグループ化するか、あるいは、１つのポートに接続された１または複数の照明器具１０を１つの集合体としてそれぞれの当該集合体を１以上集めてグループ化するか、の選択を受け付け、グループ化を決定し、決定したグループ化の情報を表示する。
【００６７】
このように、複数の照明器具１０を、インターフェース４０に接続された照明器具１０ごと、あるいは、ポートに接続された照明器具１０ごとにグループ分けすることで、グループ分けの操作を減らすことができ、容易にグループ化することができる。また、照明器具１０を短時間でグループ化することが可能となる。
【００６８】
例えば、コントローラ３０は、１つのインターフェース４０に接続された１または複数の照明器具１０を１つの集合体としてそれぞれの当該集合体ごとにグループ化するか、あるいは、１つのポートに接続された１または複数の照明器具１０を１つの集合体としてそれぞれの当該集合体ごとにグループ化するか、の両方の選択肢を表示し、表示した選択肢の一方の選択を受け付けることで、グループ化を決定してもよい。
【００６９】
このように、複数の照明器具１０を、１つのインターフェース４０に接続された照明器具１０ごと、あるいは、１つのポートに接続された照明器具１０ごとにグループ分けすることで、グループ分けの操作を減らすことができ、容易にグループ化することができる。
【００７０】
例えば、コントローラ３０は、１つのポートに接続された１または複数の照明器具１０を１つの集合体としてそれぞれの当該集合体を所定数集めてグループ化するための複数の選択肢を表示し、表示した選択肢の中から所定の集合体の選択を受け付けることで、グループ化を決定してもよい。
【００７１】
このように、ポートに接続された照明器具１０の集合体を複数集めてグループ分けすることで、グループ分けの操作を減らすことができ、照明器具１０を容易にグループ化することができる。
【００７２】
例えば、選択された所定の集合体は、複数であり、異なるインターフェース４０のポートにそれぞれ接続されていてもよい。
【００７３】
これによれば、異なるインターフェース４０に接続された照明器具１０をグループ化することができ、グループ化の自由度を向上させることができる。
【００７４】
例えば、コントローラ３０は、上記選択肢を表示する前に、複数のインターフェース４０のそれぞれから、１または複数の照明器具１０それぞれの識別情報、および、照明器具１０が接続されているポートを識別するためのポート情報を取得し、取得した識別情報およびポート情報、ならびに、照明器具１０が接続されているインターフェース４０を識別するためのインターフェース情報に基づいて選択肢を作成してもよい。
【００７５】
これによれば、コントローラ３０が、照明器具１０の識別情報、ポート情報およびインターフェース情報に基づいて選択肢を作成するので、グループ化のための明確な選択肢を表示することができ、照明器具１０を容易にグループ化することができる。
【００７６】
本実施の形態に係るコントローラ３０は、１または複数のポートを有する複数のインターフェース４０を介して、それぞれのポートに接続された１または複数の照明器具１０を管理するコントローラ３０であって、複数の照明器具１０のグループ分けを操作するための画像を表示する表示入力部２１を有し、１つのインターフェース４０に接続された１または複数の照明器具１０を１つの集合体としてそれぞれの当該集合体を１以上集めてグループ化するか、あるいは、１つのポートに接続された１または複数の照明器具１０を１つの集合体としてそれぞれの当該集合体を１以上集めてグループ化するか、の選択を受け付け、グループ化を決定し、決定したグループ化の情報を表示する。
【００７７】
このコントローラ３０は、複数の照明器具１０を、インターフェース４０に接続された照明器具１０ごと、あるいは、ポートに接続された照明器具１０ごとにグループ分けするので、グループ分けの処理を減らし、容易にグループ化することができる。また、このコントローラ３０を用いることで、照明器具１０を短時間でグループ化することが可能となる。
【００７８】
例えば、コントローラ３０は、コントローラ本体３０ａと、コントローラ本体３０ａと通信する操作端末２０とを備え、表示入力部２１は、操作端末２０に設けられていてもよい。
【００７９】
これによれば、操作端末２０の表示入力部２１を使って、複数の照明器具１０を容易にグループ化することができる。また、コントローラ本体３０ａと離れた位置で、照明器具１０をグループ化することができる。
【００８０】
本実施の形態に係る照明システム１００は、複数の照明器具１０と、複数の照明器具１０を管理するコントローラ３０と、コントローラ３０に接続され、複数の照明器具１０とコントローラ３０との通信を中継する複数のインターフェース４０とを備える。インターフェース４０は、１または複数のポートを有し、ポートのそれぞれには、１または複数の照明器具１０が接続される。コントローラ３０は、複数の照明器具１０のグループ分けを操作するための画像を表示し、１つのインターフェース４０に接続された１または複数の照明器具１０を１つの集合体としてそれぞれの当該集合体を１以上集めてグループ化するか、あるいは、１つのポートに接続された１または複数の照明器具１０を１つの集合体としてそれぞれの当該集合体を１以上集めてグループ化するか、の選択を受け付け、グループ化を決定し、決定したグループ化の情報を表示する。
【００８１】
この照明システム１００では、複数の照明器具１０を、インターフェース４０に接続された照明器具１０ごと、あるいは、ポートに接続された照明器具１０ごとにグループ分けするので、グループ分けの操作を減らすことができ、容易にグループ化することができる。また、照明器具１０を短時間でグループ化することが可能となる。
【００８２】
（その他の形態）
以上、照明器具のグループ化方法、コントローラおよび照明システムについて、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００８３】
例えば、系統指定配置によるグループ化方法では、１つのポートからなる集合体を所定数選択して照明器具１０をグループ化したが、それに限られず、１つのＩＦ４０からなる集合体を所定数選択して照明器具１０をグループ化してもよい。すなわち、コントローラ３０は、１つのＩＦ４０に接続された１または複数の照明器具１０を１つの集合体としてそれぞれの当該集合体を所定数集めてグループ化するための複数の選択肢を表示し、表示した選択肢の中から所定の集合体の選択を受け付けることで、グループ化を決定してもよい。
【００８４】
また、系統指定配置によるグループ化方法では、指定選択肢を２つずつ選択して照明器具１０をグループ１およびグループ２に分けたが、それに限られず、指定選択肢を１つ選択し、この指定選択肢のみでグループ化してもよい。
【符号の説明】
【００８５】
１０、１０ａ、１０ｂ、１０ｃ、１０ｄ、１０ｅ、１０ｆ、１０ｇ、１０ｈ、１０ｉ、１０ｊ、１０ｋ、１０ｌ、１０ｍ、１０ｎ、１０ｏ、１０ｐ  照明器具
２０    操作端末
２１    表示入力部（画面）
３０    コントローラ
３０ａ  コントローラ本体
４０、４０ａ、４０ｂ  インターフェース（ＩＦ）
１００  照明システム
【図１】
2018056010.tif 000003
【図２】
2018056010.tif 000004
【図３】
2018056010.tif 000005
【図４】
2018056010.tif 000006
【図５】
2018056010.tif 000007
【図６Ａ】
2018056010.tif 000008
【図６Ｂ】
2018056010.tif 000009
【図７Ａ】
2018056010.tif 000010
【図７Ｂ】
2018056010.tif 000011
【図７Ｃ】
2018056010.tif 000012
【図７Ｄ】
2018056010.tif 000013
【図７Ｅ】
2018056010.tif 000014
【図８Ａ】
2018056010.tif 000015
【図８Ｂ】
2018056010.tif 000016
【図９Ａ】
2018056010.tif 000017
【図９Ｂ】
2018056010.tif 000018
【図９Ｃ】
2018056010.tif 000019